(57)【要約】【課題】他人に見られたくない印刷物を確実に蓄積保持でき、かつ、その取り出し操作が容易である画像形成装置を提供する。【解決手段】印刷部１６が設けられた筐体１５内に印刷済の紙蓄積部１９を、外部に対して取り出し可能に設ける。この印刷済の紙蓄積部１９は、固定機構２７により、筐体１５外への取り出しが物理的に阻止されるロック状態になる。ユーザ側からの印刷ジョブが、印刷済用紙の内部蓄積を指定していると、固定機構２７により印刷済の紙蓄積部１９を筐体１５内に固定させ、ロックする。また、ロック解除番号を前記ユーザ側に通知し、印刷を行う。印刷終了後、ユーザ側に印刷終了を通知し、ロック解除番号の入力によりロック状態を解除させ、印刷済の紙を外部に取り出せるようにした。【選択図】図１
2008199582.tif 000002
【特許請求の範囲】
【請求項１】
筐体と、
この筐体内に設けられた印刷部と、
前記筐体内に外部に対して取り出し可能に設けられ、前記印刷部によって印刷された紙を蓄積する印刷済の紙蓄積部と、
前記印刷部で印刷された紙を前記印刷済の紙蓄積部に案内する案内機構と、
前記印刷済の紙蓄積部を、前記筐体外への取り出しを物理的に阻止するロック状態に固定する固定機構と、
ユーザ側からの、印刷結果の内部蓄積を指定する印刷ジョブを受け付けると、前記固定機構を前記ロック状態に動作させ、ランダムに選択した番号のロック解除番号を前記ユーザ側に通知すると共に、前記印刷部を印刷ジョブに従って動作させ、印刷終了後は前記ユーザ側に印刷終了を通知し、前記ロック解除番号が入力されると前記固定機構によるロック状態を解除させる制御部と、
を備えたことを特徴とする画像形成装置。
【請求項２】
前記制御部は、一つの紙蓄積部の蓄積枚数以内の一つの印刷ジョブに対して、この紙蓄積部に対応する固定機構を１回のみロック状態に制御することを特徴とする請求項1に記載の画像形成装置。
【請求項３】
前記印刷済の紙蓄積部は筐体内に複数個設けられており、
前記制御部は、印刷結果の内部蓄積を指定する印刷ジョブを複数受け付けると、印刷ジョブ毎に一つの紙蓄積部を割り当て、この割り当てられた紙蓄積部に対応する固定機構をロック状態に制御してこの紙蓄積部を使用状態にすると、この固定機構によるロック状態が解除されるまで、他の印刷ジョブによる前記紙蓄積部の使用を不許可にする
ことを特徴とする請求項1に記載の画像形成装置。
【請求項４】
前記固定機構は、印刷部を含む本体部への主電源オフにより前記印刷済の紙蓄積部を前記筐体外への取り出しを物理的に阻止するロック状態にし、前記主電源オンにより前記ロック状態を解除することを特徴とする請求項1に記載の画像形成装置。
【請求項５】
前記印刷済の紙蓄積部は、その内部に印刷済の紙が存在しているかを検出する紙センサーを有し、
前記制御部は、受け付けた印刷ジョブが、前記印刷済の紙蓄積部の蓄積枚数を越えた印刷枚数を指定している場合は、印刷枚数が前記蓄積枚数以内の所定の枚数に達すると印刷を停止させ、前記ロック解除番号の入力により前記固定機構による前記印刷済紙蓄積部のロック状態を解除させ、前記筐体外内の所定位置に設置された前記紙蓄積部内に印刷済の紙が存在しないことを前記紙センサーが検出すると、前記固定機構により対応する前記印刷済紙蓄積部をロックさせる
ことを特徴とする請求項1に記載の画像形成装置。
【請求項６】
前記印刷済の紙蓄積部は筐体内に複数個設けられており、
前記印刷部は印刷済の紙のジャムを検出する第１のジャムセンサーを有し、
前記複数の印刷済の紙蓄積部は、蓄積される紙のジャム検出する第２のジャムセンサーをそれぞれ有し、
前記制御部は、前記第１のジャムセンサーがジャムを検出しておらず、前記第２のジャムセンサーのいずれかがジャムを検出していれば、ジャムを検出していない第２のジャムセンサーを有する前記印刷済の紙蓄積部を割り当てた印刷ジョブを実行させる
ことを特徴とする請求項1に記載の画像形成装置。
【発明の詳細な説明】
【技術分野】
【０００１】
本発明は、機密文書など印刷済の紙の蓄積機能を有する画像形成装置に関する。
【背景技術】
【０００２】
一般に、ユーザが使用するコンピュータ（以下、ＰＣと記す）からネットワークを介してプリンタへ印刷データを送信し、この印刷データをプリンタにより紙に印刷することが広く行われている。このようなプリンタシステムにおいて、通常の印刷出力、すなわち、印刷済の紙は、誰でもが任意に入手できるような状態でプリンタから排紙される。
【０００３】
多くの場合、プリンタは複数のユーザに対して共通に用いられている。この場合、あるユーザが、自己の要求した印刷出力を他のユーザに見られたくないような場合であっても、誰でもが入手できるような状態で排紙されているため、他のユーザは容易にその内容を見ることができる。
【０００４】
このような問題を解決するため、印刷を要求したユーザのみが印刷結果を入手できるような構成が提案されている（例えば、特許文献１参照）。すなわち、印刷された用紙を取り出し不許可状態にある排紙蓄積部に蓄積させて機密状態にしておき、印刷を要求したユーザ側には、プリンタ側から入手可能な時刻を通知しておく。印刷結果を入手する場合、ユーザはこの通知された時刻に利用者コードを入力する。プリンタ側では、予め登録されていた利用者コードと対照させ、一致した場合に排紙蓄積部を取り出し可能状態にして、機密状態の印刷済用紙の取り出しを許可している。
【特許文献１】特開平７−１３１６２０号公報
【発明の開示】
【発明が解決しようとする課題】
【０００５】
しかしながら、上記システムでは、印刷済用紙を蓄積させておくためには、ユーザはその都度、利用者コードを登録しなければならず、取扱操作が面倒である。また、印刷枚数が蓄積枚数を超えるような印刷要求は実質的に取り扱うことができないなど、改善すべき問題があった。
【０００６】
本発明の目的は、他人に見られたくない印刷物を確実に蓄積保持でき、かつその取り出し操作が容易である画像形成装置を提供することにある。
【課題を解決するための手段】
【０００７】
本発明の画像形成装置は、筐体と、この筐体内に設けられた印刷部と、前記筐体内に外部に対して取り出し可能に設けられ、前記印刷部によって印刷された紙を蓄積する印刷済の紙蓄積部と、前記印刷部で印刷された紙を前記印刷済の紙蓄積部に案内する案内機構と、前記印刷済の紙蓄積部を、前記筐体外への取り出しを物理的に阻止するロック状態に固定する固定機構と、ユーザ側からの、印刷結果の内部蓄積を指定する印刷ジョブを受け付けると、前記固定機構を前記ロック状態に動作させ、ランダンムに選択した番号のロック解除番号を前記ユーザ側に通知すると共に、前記印刷部を印刷ジョブに従って動作させ、印刷終了後は前記ユーザ側に印刷終了を通知し、前記ロック解除番号が入力されると前記固定機構によるロック状態を解除させる制御部とを備えたことを特徴とする。
【０００８】
本発明では、前記制御部は、一つの紙蓄積部の蓄積枚数以内の一つの印刷ジョブに対して、この紙蓄積部に対応する固定機構を１回のみロック状態に制御する。
【０００９】
また、本発明では、前記印刷済の紙蓄積部は筐体内に複数個設けられており、前記制御部は、印刷結果の内部蓄積を指定する印刷ジョブを複数受け付けると、印刷ジョブ毎に一つの紙蓄積部を割り当て、この割り当てられた紙蓄積部に対応する固定機構をロック状態に制御してこの紙蓄積部を使用状態にすると、この固定機構によるロック状態が解除され  るまで、他の印刷ジョブによる前記紙蓄積部の使用を不許可にする。
【００１０】
また、本発明では、前記固定機構は、印刷部を含む本体部への主電源オフにより前記印刷済の紙蓄積部を前記筐体外への取り出しを物理的に阻止するロック状態にし、前記主電源オンにより前記ロック状態を解除する。
【００１１】
また、本発明では、前記印刷済の紙蓄積部は、その内部に印刷済の紙が存在しているかを検出する紙センサーを有し、前記制御部は、受け付けた印刷ジョブが、前記印刷済の紙蓄積部の蓄積枚数を越えた印刷枚数を指定している場合は、印刷枚数が前記蓄積枚数以内の所定の枚数に達すると印刷を停止させ、前記ロック解除番号の入力により前記固定機構による前記印刷済紙蓄積部のロック状態を解除させ、前記筐体外内の所定位置に設置された前記紙蓄積部内に印刷済の紙が存在しないことを前記紙センサーが検出すると、前記固定機構により対応する前記印刷済紙蓄積部をロックさせる。
【００１２】
さらに、本発明では、前記印刷済の紙蓄積部は筐体内に複数個設けられており、前記印刷部は印刷済の紙のジャムを検出する第１のジャムセンサーを有し、前記複数の印刷済の紙蓄積部は、蓄積される紙のジャム検出する第２のジャムセンサーをそれぞれ有し、前記制御部は、前記第１のジャムセンサーがジャムを検出しておらず、前記第２のジャムセンサーのいずれかがジャムを検出していれば、ジャムを検出していない第２のジャムセンサーを有する前記印刷済の紙蓄積部を割り当てた印刷ジョブを実行させる。
【発明の効果】
【００１３】
本発明によれば、印刷結果の内部蓄積を指定する印刷ジョブの場合、紙蓄積部が外部に取り出せないようにロックするので、印刷結果の秘密を確実に保持することができる。また、ユーザに対しては、ロック解除番号を通知し、印刷終了後はロック解除番号を入力することでロック状態を解除させるので、ユーザは簡単な操作により印刷結果を入手することができる。
【発明を実施するための最良の形態】
【００１４】
以下、本発明による画像形成装置の一実施の形態について、図面を用いて詳細に説明する。
【００１５】
図１はこの実施の形態における画像形成装置（以下、ＭＦＰ）１１とユーザ側に配置されたコンピュータ（以下、ＰＣ）１２との関係を模式的に示している。ＭＦＰ１１はプリンタとして使用されており、ユーザ側のＰＣ１２とは、ＬＡＮなどのネットワーク１３により相互に接続されている。
【００１６】
ＰＣ１２は、印刷者（ユーザ）の操作によりプリントデータを含む印刷ジョブを、ネットワーク１３を通じてＭＦＰ１１に送信する。ＭＦＰ１１はこの印刷ジョブを受け付け、プリントデータに従って印刷を行う。
【００１７】
次に、図２によりＭＦＰ１１の構成を説明する。１５は筐体で、ＭＦＰ１１の装置本体を構成する。１６は印刷部であり、筐体１５内の上部に設けられている。この印刷部１６は、詳細は省略するが、感光ドラム１７やヒートローラ１８などを有する。１９はトレイ状を成す印刷済の紙蓄積部であり、筐体１５内に複数段に形成された棚部２０上に、取り出し可能に設けられている。この紙蓄積部１９は、印刷部１６によって印刷された紙を、後述する案内機構２１により、内部に取り込んで蓄積する。
【００１８】
案内機構２１は、第１の選択板２１ａ、第２の選択板２１ｂ、第３の選択板２１ｃ、・・・を有する。第１の選択板２１ａは、印刷部１６により印刷され、ヒートローラ１８から送り出された紙を、蓄積を要さない標準排紙トレイ２３と、紙蓄積部１９が位置する図示下方とのいずれかに案内する。第２の選択板２１ｂ、第３の選択板２１ｃ、・・・は、第１の選択板２１ａによって下向きに案内された印刷済の紙を対応する紙蓄積部１９内に案内する。なお、図中符号２５は印刷済の紙であり、標準排紙トレイ２３上及び紙蓄積部１９にそれぞれ集積された状態を示している。
【００１９】
２７は固定機構であり、前記紙蓄積部１９を筐体１５内に固定し、筐体１５外への取り出しを物理的に阻止するロック状態にすることができる。この固定機構２７としては、例えば、電磁ソレノイドを用いればよい。この電磁ソレノイド２７は、ピン状の作動子２７ａを有する。この作動子２７ａは、電磁ソレノイド２７が非励磁のとき、図示しないばねの力などにより突出前進し、紙蓄積部１９の側面板に形成された係合孔１９ａ内に嵌合する。この嵌合状態において、紙蓄積部１９は、筐体１５外への取り出しを物理的に阻止されたロック状態となる。一方、電磁ソレノイド２７が励磁されると、作動子２７ａは電磁力により後退し、上記係合孔１９ａとの嵌合が解除される。この嵌合解除により、紙蓄積部１９は、筐体１５外への取り出しが可能となる。
【００２０】
このように、紙蓄積部１９は、固定機構２７により外部への取り出しが阻止されるので、内部に蓄積された印刷済の紙の盗難を防止することができる。したがって、この紙蓄積部１９を、以下、盗難防止排紙トレイ１９として説明する。
【００２１】
図３及び図４は、筐体１５内における盗難防止排紙トレイ１９の設置状態を示す平面図および側面図である。図３及び図４において、２８は取り出し検出部であり、盗難防止排紙トレイ１９が筐体１５外へ取り出されたことを検出する。この取り出し検出部２８としては、ＬＥＤなどの発光素子２８ａと受光素子２８ｂとを、盗難防止排紙トレイ１９の側面板に形成した貫通孔１９ｂを介して対向配置したものを用いればよい。このように構成すると、盗難防止排紙トレイ１９が筐体１５内における所定位置に設置されていれば、発光素子２８ａの光は貫通孔１９ｂを通って受光素子２８ｂに受光される。しかし、盗難防止排紙トレイ１９が筐体１５から取り出されると、受光素子２８ｂは遮光されるため、この遮光動作により、盗難防止排紙トレイ１９が筐体１５外に取り出されたことを検出する。
【００２２】
図５及び図６は、盗難防止排紙トレイ１９と紙センサー２９との関係を示す平面図及び正面図である。図５及び図６において、紙センサー２９は、筐体１５の棚部２０上に設置され、盗難防止排紙トレイ１９の底面に形成された開口１９ｃを通して、盗難防止排紙トレイ１９上における印刷済の紙２５の有無を検知する。この紙センサー２９としては、例えば、発光素子２９ａと受光素子２９ｂとからなる光反射型のセンサーを用いる。この場合、印刷済の紙２５が紙センサー２９の上にあると、発光素子２９ａからの光が印刷済の紙２５で反射して受光素子２９ｂに入力され、紙２５が紙蓄積部１９内に有ることを検知する。印刷済の紙２５が紙センサー２９の上に無いと、受光素子２９ｂには反射光が入力されないので紙が無いことが検知される。
【００２３】
図では２個の紙センサー２９Ａ，２９Ｂが設けられているが、これは印刷済の紙２５のサイズが複数存在するためである。すなわち、サイズＡの紙２５Ａは面積が大きいため２つの紙センサー２９Ａ，２９Ｂは共に紙有りを検知する。一方、サイズＢの紙２５Ｂは面積が小さいので、一方の紙センサー２９Ａでは紙有りを検知するが、他方の紙センサー２９Ｂでは紙有りを検知しない。このように、印刷済の紙２５のサイズが複数あっても、紙センサー２９Ａ，２９Ｂのどちらかで紙有りを検知できる構造になっている。
【００２４】
なお、紙センサー２９として、反射光を使用したものを例に上げたが、反射して検出できるものであれば何でも使用できる。例えば、超音波センサーの反射波を使用したものでも使用可能である。
【００２５】
図２に戻って、３１は第１のジャムセンサーであり、印刷部１６のヒートローラ１８の出口側に設けられ、この部分における印刷済の紙のジャムを検出する。３２は第２のジャムセンサーであり、盗難防止排紙トレイ１９が設けられる各棚部２０上の、盗難防止排紙トレイ１９の入り口部分に設けられ、図１２で示すように、この入り口部分における印刷済の紙のジャムを検出する。
【００２６】
図７は、ＭＦＰ１１の制御部の構成を示すブロック図である。図７において、制御部３４は、第１の制御回路３４Ａ及び第２の制御回路３４Ｂからなる。第１の制御回路３４Ａは主電源３５Aにより電力供給を受け、第２の制御回路３４Ｂは補助電源３５Ｂにより電力供給を受けている。主電源３５Ａは、図２で示した印刷部１６を含む本体部へ電力を供給するもので、通常の商用電源が用いられる。補助電源３５Ｂは、主電源３５Ａがオフになっても電力供給可能な電源装置で、電池または蓄電池により構成されている。
【００２７】
第１の制御回路３４Ａは、図１で示したネットワーク１３と接続しており、このネットワーク１３を介してユーザ側のＰＣ１２との間で後述する各種の情報を授受する。また、図２で示した固定機構としての電磁ソレノイド２７に接続し、この電磁ソレノイド２７に対する励磁を制御する。また、図５及び図６で示した、紙センサー２９、図２で示した第１のジャムセンサー３１および第２のジャムセンサー３２とも接続しており、これらの検出信号を入力する。さらに、プリンタ１１の本体に設けられたコントロールパネル３６とも接続しており、コントロールパネル３６に対する各種操作信号を入力したり、各種表示信号を出力したりする。
【００２８】
ここで、主電源３５Ａは、商用のＡＣコンセントから電圧が作られて第１の制御回路３４Ａに電力供給している。第１の制御回路３４Ａは盗難防止排紙トレイ１９を固定する電磁ソレノイド２７への電圧印加をオン／オフを制御したり、コントロールパネル３６からの印刷者（ユーザ）による後述するロック解除番号（ＩＤ番号）の入力制御、ＰＣ１２との印刷ジョブを含む各種の転送制御等を行っている。もちろん、ＭＦＰ１１本体の印刷制御等の機能も有する。
【００２９】
第１の制御回路３４Ａは、ＡＣコンセントを切られると主電源３５Ａからの電源供給が停止して制御機能は停止する。第１の制御回路３４Ａへの電源供給が停止したことにより、電磁ソレノイド２７には電圧が印加されない状態になり、この電磁ソレノイド２７を用いた固定機構はロック状態になる。
【００３０】
第１の制御回路３４Ａは電磁ソレノイド２７の状態変更（オン→オフ、オフ→オン）を第２の制御回路３４Ｂに通知しており、第２の制御回路３４Ｂは電磁ソレノイド２７の状態（オフまたはオン）、つまり盗難防止排紙トレイ１９のロック状態または非ロック状態を認識している。
【００３１】
第２の制御回路３４Ｂは、第１の制御回路３４Ａとの間で各種信号をやり取りする。また、図３及び図５で示した取り出し検出部２８の発光素子２８ａ及び受光素子２８ｂと接続し、取り出し検出信号を入力する。さらに、ブザーなどの警報装置３７とも接続し、この警報装置３７を動作させるように構成している。
【００３２】
第２の制御回路３４Ｂに接続された取り出し検出部２８は、盗難防止排紙トレイ１９がロック状態のときには、発光素子２８ａの光が受光素子２８ｂで受光できる状態にある。盗難防止排紙トレイ１９が本体から無理やり引き抜かれた場合には、受光素子２８ｂは発光素子２８ａからの光を受光できなくなる。第２の制御回路３４Ｂは、受光素子２８ｂが受光できなくなったことにより盗難の危険を認識して、警報装置３７のブザー等を鳴らす制御を行っている。
【００３３】
なお、第２の制御回路３４Ｂは、盗難防止排紙トレイ１９が非ロック状態の時には、受光素子２８ｂが受光できていても、できていなくてもブザーを鳴らす制御は行わない。
【００３４】
次に、これら第１の制御回路３４Ａ及び第２の制御回路３４Ｂからなる制御部３４の機能について説明する。
【００３５】
制御部３４は、ユーザ側のＰＣ１２からネットワーク１３を介して送られてきた印刷ジョブを受け付ける。この印刷ジョブが印刷結果の内部蓄積を指定していると、印刷済の紙を盗難防止排紙トレイ１９に蓄積させるべく次のように動作する。先ず、固定機構である電磁ソレノイド２７に対する励磁を解き、盗難防止排紙トレイ１９をロック状態にする。
【００３６】
ここで、盗難防止排紙トレイ１９は、ＭＦＰ１１の起動時に主電源３５Ａが投入されると、電磁ソレノイド１７が自動的に励磁され、その作動子２７ａが盗難防止排紙トレイ１９の係合孔１９ａから外れるので、外部に対し取り出し可能な状態になっている。このため、前記印刷ジョブにより印刷済の紙の内部蓄積が指定されると、蓄積に用いる盗難防止排紙トレイ１９をロック状態にするべく、電磁ソレノイド２７に対する励磁を解く。このため、電磁ソレノイド２７の作動子２７ａは、図示しないばね力により対応する盗難防止排紙トレイ１９の係合孔１９ａに嵌合し、この盗難防止排紙トレイ１９を、外部への取り出しが物理的に阻止されたロック状態にする。
【００３７】
次に、ランダンムに番号を選択してロック解除番号を作成し、このロック解除番号を、印刷ジョブを送信したユーザ側のＰＣ１２にネットワーク１３を介して通知する。また、送られてきた印刷ジョブの印刷データに従って印刷部１６を動作させ、印刷を実行する。印刷終了後は、印刷ジョブを送ってきたユーザ側のＰＣ１２に、ネットワーク１３を介して印刷終了を通知する。さらに、印刷終了の通知を受けたユーザにより、コントロールパネル３６に前記ロック解除番号が入力されると、電磁ソレノイド２７を励磁して、盗難防止排紙トレイ１９のロック状態を解除させる。
【００３８】
なお、制御部３４による盗難防止排紙トレイ１９へのロック操作、すなわち、電磁ソレノイド２７の励磁解除は、印刷ジョブに指定された印刷枚数が、一つの盗難防止排紙トレイ１９の蓄積枚数以内の場合、一つの印刷ジョブに対して１回のみとする。
【００３９】
また、制御部３４は、印刷結果の内部蓄積を指定する印刷ジョブを複数受け付けた場合、印刷ジョブ毎に一つの盗難防止排紙トレイ１９を割り当てる。そして、この割り当てられた盗難防止排紙トレイ１９を電磁ソレノイド２７の励磁を解除してロック状態に制御し、これら盗難防止排紙トレイ１９を使用状態にする。使用状態となった盗難防止排紙トレイ１９は、対応する電磁ソレノイド２７が励磁されて、ロック状態が解除されるまで、他の印刷ジョブにより使用することは出来ない。
【００４０】
制御部３４は、電磁ソレノイド２７の作動子２７ａを破損するなどして、盗難防止排紙トレイ１９が強引に外部に取り出されると、これを検出して警報を発する機能を有する。すなわち、取り出し検出部２８が、盗難防止排紙トレイ１９の筐体１５外への取り出しを検出すると、この盗難防止排紙トレイ１９がロック状態であれば、警報装置３７を鳴動させる。このように、盗難防止排紙トレイ１９がロック状態であるにもかかわらず、外部に取り出されたということは、電磁ソレノイド２７などによる固定機構を破損して強引に外部に取り出したことを意味しており、警報を発して注意を促す。
【００４１】
この場合、図７で示した第２の制御回路３４Ｂは、第１の制御回路３４Ａから、電磁ソレノイド２７への印加電圧を監視する情報を入手しており、盗難防止排紙トレイ１９がロック状態にあるかを判断する。盗難防止排紙トレイ１９がロック状態の場合は、取り出し検出部２８の発光素子２８ａを点灯させ、受光素子２８ｂでの受光有無を監視する。そして、受光素子２８ｂが受光しなくなった場合は、警報装置３７のブザーなどを鳴らし、警報を行う。
【００４２】
ここで、取り出し検出部２８及び警報装置３７には、第２の制御回路３４Ｂにより、主電源３５Ａとは別の、電池または蓄電池から構成されている補助電源３５Ｂから電力供給されている。したがって、主電源３５Ａを切って印刷済みの紙を盗もうとしても、補助電源３５Ｂにより警報装置３７が作動するので、盗難防止機能を維持することができる。
【００４３】
また、制御部３４は、印刷ジョブが盗難防止排紙トレイ１９の蓄積枚数を超える印刷枚数を指定していても、印刷済の紙が盗難防止排紙トレイ１９から溢れることなく、印刷できるように制御する。この場合、制御部３４はこの印刷ジョブの印刷枚数が盗難防止排紙トレイ１９の蓄積枚数を越えた値であることを、この印刷ジョブを送ったＰＣ１２に対して、ネットワーク１３を介して通知する。また、印刷枚数をカウントし、印刷枚数が所定枚数（盗難防止排紙トレイ１９の蓄積枚数以内の設定値）に達すると、その旨、この印刷ジョブを送信したＰＣ１２に対してネットワーク１３を介して通知し、ユーザに対して印刷済の紙を盗難防止排紙トレイ１９から取り出すことを促す。
【００４４】
さらに、制御部３４は、印刷枚数が上述した所定枚数に達すると印刷をいったん停止させる。そして、印刷枚数が所定枚数に達したとの上述した通知により、ユーザが予め通知されているロック解除番号をコントロールパネル３６に入力すると、対応する電磁ソレノイド２７を励磁し、盗難防止排紙トレイ１９のロック状態を解除させる。ユーザは対応する盗難防止排紙トレイ１９を筐体１５外に取り出し、蓄積された紙を盗難防止排紙トレイ１９から取り除くことができる。この後、盗難防止排紙トレイ１９を再び筐体１５内の所定位置に挿入すると、この盗難防止排紙トレイ１９内に印刷済の紙が存在しないことを紙センサー２９により確認する。その結果、紙が存在しない場合は、対応する電磁ソレノイド２７の励磁を断って、再び対応する盗難防止排紙トレイ１９をロック状態にして印刷を再開させる。
【００４５】
また、制御部３４は、ＭＦＰ１１内にジャムが生じた場合、ジャムの発生場所や条件により一部の印刷を継続させることができる。すなわち、必ずすべての印刷を中止するのではなく、印刷可能な状態であればその部分の印刷を続行させる。例えば、対応する盗難防止排紙トレイ１９に印刷済の紙をそれぞれ蓄積させる複数の印刷ジョブを実行中にジャムが発生したとする。この場合、第１のジャムセンサー３１の検出結果により、印刷部１６にジャムが発生していない、或いは印刷部のジャムが取り除かれたことが判明すると、第２のジャムセンサー３２の検出結果から、ジャムの発生していない盗難防止排紙トレイ１９が存在するか判断する。その結果、ジャムが発生していない盗難防止排紙トレイ１９が存在する場合は、ジャムが発生した盗難防止排紙トレイ１９を使用した印刷ジョブは中止するものの、ジャムが発生していない盗難防止排紙トレイ１９を使用する印刷ジョブは継続させる。
【００４６】
さらに、制御部３４は、印刷結果の内部蓄積を指定した印刷ジョブと指定しない通常の印刷ジョブとの双方を受け付けた場合、これら印刷ジョブを所定枚数毎に交互に実行させる。この場合、印刷結果の内部蓄積を指定した印刷ジョブの実行時は、案内機構２１により印刷済の紙を対応する盗難防止排紙トレイ１９に案内させ、通常の印刷ジョブ実行時は、案内機構２１を切り換えて、印刷済の紙を図２で示した標準排紙トレイ２３上に案内させる。
【００４７】
次に、案内機構２１による印刷済の紙の案内動作を図８乃至図１１で説明する。
【００４８】
図８は、印刷済の紙２５を、内部蓄積を要しない標準排紙トレイ２３へ出力するときの紙パスを示す。この場合、ヒートローラ１８を通過した印刷済の紙２５は、図示しないアクチュエータによって先端（図示右端）を斜め下向きに回動させた第１の選択板２１ａにより、標準排紙トレイ２３上へ向かって振り分けられ、排出される。
【００４９】
図９は、印刷済の紙２５を、筐体１５内の最上段の棚板２０上に設置された盗難防止排紙トレイ１９Ａへ出力するときの紙パスを示す図である。この場合、ヒートローラ１８を通過した印刷済の紙２５は、図示しないアクチュエータによって先端（図示右端）を斜め上向き（図ではほぼ水平）に回動させた第１の選択板２１ａにより、標準排紙トレイ２３より下部のトレイに向けて振り分けられる。振り分けられた印刷済の紙２５は、図示しないアクチュエータによって図示左側に傾いた第２の選択板２１ｂにより、最上段の棚板２０上に設置された盗難防止排紙トレイ１９Ａに向って振り分けられ、この盗難防止排紙トレイ１９Ａ内に挿入される。
【００５０】
図１０は、印刷済の紙２５を、筐体１５内の２段目の棚板２０上に設置された盗難防止排紙トレイ１９Ｂへ出力するときの紙パスを示す図である。この場合、ヒートローラ１８を通過した印刷済の紙２５は、上述の場合と同じく第１の選択板２１ａにより標準排紙トレイ２３より下部のトレイに向けて振り分けられる。このとき、第２の選択板２１ｂは、図示しないアクチュエータによって案内面が垂直の状態になっているので、印刷済の紙２５はさらに下方に案内される。また、２段目の棚板２０上に設けられた第３の選択板２１ｃは、図示しないアクチュエータによって案内面が図示左側に傾いているので、上方から送られてきた印刷済の紙２５は、２段目の棚板２０上に設置された盗難防止排紙トレイ１９Ｂに向って振り分けられ、この盗難防止排紙トレイ１９Ｂ内に挿入される。
【００５１】
図１１は、印刷済の紙２５を、筐体１５内の２段目の棚板２０よりさらに下方に設けた紙蓄積部（図示せず）へ出力する時の紙パスを示す図である。この場合、ヒートローラ１８を通過した印刷済の紙２５は、上述の場合と同じく第１の選択板２１ａにより標準排紙トレイ２３より下部のトレイに向けて振り分けられる。このとき、第２の選択板２１ｂ及び第３の選択板２１ｃは、共に図示しないアクチュエータによって案内面が垂直の状態になっているので、印刷済の紙２５はさらに下方の図示しない盗難防止排紙トレイに案内される。
【００５２】
上記構成において、印刷者（ユーザ）は、ＰＣ１２からＭＦＰ１１に対して印刷ジョブを転送する。このとき、印刷済の紙を外部に排出せず蓄積しておく場合は、印刷ジョブ中に蓄積指示を行う。ＭＦＰ１１の制御部３４では、盗難防止排紙トレイ１９に印刷済の紙を蓄積する印刷ジョブを受け付けると、使用する盗難防止排紙トレイ１９をロック状態にして印刷を開始する。同時にパソコンに対してランダムに作成したロック解除番号を発行し、ネットワーク１３を通じてＰＣ１２に通知する。なお、ロック解除番号は、ネットワーク１３上では暗号化されて転送される。
【００５３】
印刷者は、ＭＦＰ１１から印刷終了が通知されるとこれを確認して、予め通知されたロック解除番号を、コントロールパネル３６から入力する。制御部３４では、入力されたロック解除番号の確認を行い、正しければ対応する盗難防止排紙トレイ１９のロックを解除する。
【００５４】
ここで、ＭＦＰ１１の起動時、主電源３５Ａが投入されると、盗難防止排紙トレイ１９内に印刷済みの紙が残っていない場合には、前述のように電磁ソレノイド２７に電圧がかかり、ロックが解除された状態になる。ただし、盗難防止排紙トレイ１９内に印刷済みの紙が残っている場合には電磁ソレノイド２７に電圧がかからず、ロック状態のままになる。盗難防止排紙トレイ１９内に印刷済みの紙が残っているか否かは、紙センサー２９により検出する。
【００５５】
以下、図１３〜図１５のフローチャートを用いて、詳細に動作説明を行う。
【００５６】
ＰＣ１２からＭＦＰ１１に対する印刷ジョブの設定が行われる（ステップ１０１）。このとき、ＰＣ１２側では排紙トレイの選択設定を行う（ステップ１０２）。印刷ジョブが、印刷済の紙の内部蓄積を要する場合は、盗難防止排紙トレイ１９を選択する。ＰＣ１２は、選択された盗難防止排紙トレイ１９が使用中であるか未使用であるかを、ＭＦＰ１１に対して排紙トレイの確保依頼の形で問い合わせる（ステップ１０３）。ＭＦＰ１１から排紙トレイ確保結果の通知を受け（ステップ１０４）、その結果、選択された排紙トレイが確保できた場合は（ステップ１０５：Ｙ）、印刷データをＭＦＰ１１に送信する（ステップ１０６）。確保できなかった場合は（ステップ１０５：Ｎ）、排紙トレイの選びなおしと排紙トレイの確保を繰り返す。
【００５７】
ＭＦＰ１１では、印刷データを受け付けると、ランダムに選択された番号によるロック解除番号（以下、ＩＤ番号として説明）をＰＣ１２に送信する（ステップ１０７）。なお、転送中、ＩＤ番号は暗号化されている。ＭＦＰ１１は、確保した盗難防止排紙トレイ１９をロックして（ステップ１０８）、印刷を開始する（ステップ１０９）。そして、印刷済の紙は、盗難防止排紙トレイに出力される（ステップ１１０）。全ての印刷が終了すると（ステップ１１１：Ｙ）、印刷を停止し（ステップ１１２）、印刷依頼元のＰＣ１２へ印刷終了を通知する（ステップ１１３）。
【００５８】
印刷終了通知をＰＣ１２で受信した印刷者は、印刷済の紙を取り出すべく、印刷前に受信していたＩＤ番号をコントロールパネル（ＣＰ）３６から入力し（ステップ１１４：Ｙ）、盗難防止排紙トレイ１９に対するロックを解除する（ステップ１１５）。印刷者は、ロック解除された盗難防止排紙トレイ１９を筐体１５から引き出して、この排紙トレイ１９から印刷済の紙を取り出す（ステップ１１６，１１７）。印刷者が印刷済の紙を取り出した後、盗難防止排紙トレイ１９を筐体１５に再び格納すると（ステップ１１８）、ＭＦＰ１１は、盗難防止排紙トレイ１９が筐体１５内にしっかり格納されたかを発光素子２８ａと受光素子２８ｂにより確認する（ステップ１１９）。適切に格納されていれば、盗難防止排紙トレイ１９内に印刷済の紙が残されていないかを紙センサー２９により検知する（ステップ１２０）。盗難防止排紙トレイ内に印刷済の紙が残されていない場合には印刷が終了となる（ステップ１２４）。
【００５９】
これに対し、盗難防止排紙トレイ１９内に印刷済の紙が残されている場合には（ステップ１２０：Ｎ）、再び盗難防止排紙トレイ１９をロック（ステップ１２１）した後、コントロールパネル（ＣＰ）３６へ、盗難防止排紙トレイ１９から印刷済の紙を取り出すように表示し（ステップ１２２）、かつ、印刷依頼元のＰＣ１２へ印刷済の紙の取り出し要求を通知する（ステップ１２３）。
【００６０】
印刷済用紙の取り出し要求通知を受信した印刷者は、ステップ１１４に戻って、印刷前に受信していたＩＤ番号をコントロールパネル（ＣＰ）３６から再度入力し、以後一連の印刷済用紙を取り出し操作を繰り返す（ステップ１１５〜１２０）。そして、盗難防止排紙トレイ１９内に印刷済の紙が残されていない場合には印刷が終了となる（ステップ１２４）。
【００６１】
次に、印刷終了していない場合の処理を図１４を用いて説明する。
【００６２】
図１３のステップ１１１の判断で、印刷が終了していない場合は（ステップ１１１：Ｎ）、盗難防止排紙トレイ１９に出力された印刷済の紙の枚数が、盗難防止排紙トレイ１９の格納限界数に達した満杯状態かを判断する（ステップ１３０）。この判断は、ＭＦＰ１１の制御部３４において、図示しないカウンタにより、盗難防止排紙トレイ１９に出力した印刷枚数をカウントし、設定値との比較で行う。満杯でない場合は（ステップ１３０：Ｎ）、図１３のステップ１１０に戻って盗難防止排紙トレイ１９を用いた印刷を継続する。これに対し、盗難防止排紙トレイ１９が満杯の場合には、印刷を停止して（ステップ１３１）、印刷依頼元のＰＣ１２に満杯状態を通知する。
【００６３】
盗難防止排紙トレイ１９が満杯状態であるとの通知を受け取った印刷者は、ＭＦＰ１１のコントロールパネル（ＣＰ）３６に、印刷前に受信していたＩＤ番号を入力する（ステップ１３３）。これによって、盗難防止排紙トレイ１９のロックが解除されるので（ステップ１３４）、盗難防止排紙トレイ１９を筐体１５から引き出して印刷済用紙を取り出す（ステップ１３５，１３６）。この後、印刷者は盗難防止排紙トレイ１９を再び筐体１５内の所定位置に格納する（ステップ１３７）。ＭＦＰ１１は、盗難防止排紙トレイ１９が筐体１５内の所定位置に確実に格納されたかを発光素子２８ａと受光素子２８ｂとにより確認する（ステップ１３８）。また、盗難防止排紙トレイ１９内に印刷済用紙が残されていないかを紙センサー２９により検知する。そして、印刷済用紙が残されていない場合には（ステップ１３９：Ｙ）、盗難防止排紙トレイ１９を再びロックした後に印刷を再開し（ステップ１４０，１４１）、図１３で示したステップ１１０以降の印刷処理を実行する。
【００６４】
これに対し、盗難防止排紙トレイ１９内に印刷済用紙が残されている場合（ステップ１３９：Ｎ）、盗難防止排紙トレイ１９はロックされる（ステップ１４２）。また、コントロールパネル（ＣＰ）３６に、盗難防止排紙トレイ１９から印刷済用紙を取り出す要求を表示し（ステップ１４３）、印刷依頼元のＰＣ１２へ印刷済用紙取り出し要求の通知を行う（ステップ１４４）。印刷済用紙取り出し要求の通知を受信した印刷者は、ステップ１３３に戻って、コントロールパネル（ＣＰ）３６からＩＤ番号を入力して盗難防止排紙トレイ１９のロックを解除する（ステップ１３３，１３４）。そして、盗難防止排紙トレイ１９を筐体１５から引き出し、この盗難防止排紙トレイ１９に残っていた印刷済用紙を取り出す（ステップ１３５，１３６）。この後、印刷者は盗難防止排紙トレイ１９を再び筐体１５内の所定位置に格納する（ステップ１３７）。そして、盗難防止排紙トレイ１９が所定位置に確実に格納され、かつ、盗難防止排紙トレイ１９内に印刷済用紙が残されていないことを確認すると（ステップ１３８，１３９）、盗難防止排紙トレイ１９を再びロックした後に印刷を再開し（ステップ１４０，１４１）、図１３で示したステップ１１０以降の印刷処理を印刷終了（ステップ１２４）まで実行する。
【００６５】
次に、図１５により、標準排紙トレイ２３と盗難防止排紙トレイ１９とを同時利用して印刷を行う場合の動作を説明する。
【００６６】
ＭＦＰ１１が受け付けた印刷ジョブが、図８で示した標準排紙トレイ２３に出力する印刷ＪＯＢ１と、上段の盗難防止排紙トレイ１９Ａに印刷出力する印刷ＪＯＢ２と、次段の盗難防止排紙トレイ１９Ｂに印刷出力する印刷ＪＯＢ３との３つであるものとする。これら印刷ＪＯＢ１，印刷ＪＯＢ２，印刷ＪＯＢ３は、同時に時分割で実行され、ジョブ毎に１枚ずつ交互に印刷を行うものとする。
【００６７】
図１５において、ＭＦＰ１１は、先ず、標準排紙トレイ２３に出力する印刷があるかを確認する（ステップ１５０）。標準排紙トレイ２３に出力する印刷がある場合（ステップ１５０：Ｙ）、標準排紙トレイ２３への印刷出力を１枚終了した時点で（ステップ１５１）、盗難防止排紙トレイ１９Ａに出力する印刷があるか確認する（ステップ１５２）。標準排紙トレイ２３に出力する印刷がない場合は（ステップ１５０：Ｎ）、すぐに盗難防止排紙トレイ１９Ａに出力する印刷があるか確認する（ステップ１５２）。
【００６８】
盗難防止排紙トレイ１９Ａに出力する印刷がある場合（ステップ１５２：Ｙ）、盗難防止排紙トレイ１９Ａへの印刷出力を１枚終了した時点で（ステップ１５３）、次の盗難防止排紙トレイ１９Ｂに出力する印刷があるか確認する（ステップ１５４）。盗難防止排紙トレイ１９Ａに出力する印刷がない場合は（ステップ１５２：Ｎ）、すぐに次の盗難防止排紙トレイ１９Ｂに出力する印刷があるか確認する（ステップ１５４）。
【００６９】
盗難防止排紙トレイ１９Ｂに出力する印刷がある場合（ステップ１５４：Ｙ）、盗難防止排紙トレイ１９Ｂへの印刷出力を１枚終了した時点で（ステップ１５５）、印刷停止指示（コントロールパネル３６からの入力等による）があるか確認する（ステップ１５６）。印刷停止指示がある場合には（ステップ１５６：Ｙ）、すべての印刷ＪＯＢを中断して印刷終了する。印刷停止指示がない場合には（ステップ１５６：Ｎ）、ステップ１５０に戻り、以降ステップ１５６までの処理を繰り返す。
【００７０】
以上の処理により各排紙トレイ２３，１９Ａ，１９Ｂに、印刷済用紙が交互に出力される。
【００７１】
このように、複数印刷ジョブに対して、対応する各排紙トレイ２３，１９Ａ，１９Ｂに対して交互に印刷出力が行うと、印刷中のジョブ以外のジョブの待ち時間を短くすることができる。すなわち、上述のように交互に印刷出力を行わない場合、例えば、盗難防止排紙トレイ１９Ａを用いた印刷ジョブを実行中の間は、他の、標準排紙トレイ２３や別の盗難防止排紙トレイ１９Ｂを用いた印刷ジョブは待ち状態となる。この盗難防止排紙トレイ１９Ａを用いた印刷ジョブが大量の印刷を行う場合、他の印刷ジョブは長時間印刷待ちになる。これに対し、上述のように、各排紙トレイ２３，１９Ａ，１９Ｂに対して交互に印刷出力が行えると、複数の印刷ジョブを並行して行うことができる。したがって、他のジョブが長時間待ちとなることはなく、印刷中のジョブ以外のジョブの待ち時間を短くすることができる。
【００７２】
なお、図１５のフローチャートは各排紙トレイへの印刷出力を１枚ずつ変更するものであるが、出力変更枚数の設定は、ＭＦＰ１１のコントロールパネル３６により、排紙トレイ単位に任意の数を設定することができる。
【００７３】
図８，９，１０は、上述した各排紙トレイ２３，１９Ａ，１９Ｂへ印刷済用紙を出力する時の紙パスを示している。上述した図１５の動作は、図８，９，１０の紙パスを、印刷ＪＯＢ毎に変更して実現している。
【００７４】
図８は、印刷済の紙２５を、標準排紙トレイ２３上に印刷出力する場合を示している。この場合、前述したように、ヒートローラ１８から送り出された印刷済用紙２５は、案内機構２１の第１の選択板２１ａにより図示上側に案内され、この第１の選択板２１ａの上側を通って標準排紙トレイ２３上に印刷出力される。
【００７５】
図９は、印刷済用紙２５を上段の盗難防止排紙トレイ１９Ａに印刷出力する場合を示している。この場合、ヒートローラ１８を通過した印刷済用紙２５は、案内機構２１の第１の選択板２１ａにより下向きに振り分けられ、さらに、第２の選択板２１ｂにより盗難防止排紙トレイ１９Ａに向って案内され、挿入される。
【００７６】
図１０は、印刷済用紙２５を次段の盗難防止排紙トレイ１９Ｂに印刷出力する場合を示している。この場合も、ヒートローラ１８を通過した印刷済用紙２５は、案内機構２１の第１の選択板２１ａにより下向きに振り分けられ、さらに、第２の選択板２１ｂによっても、そのまま下方に案内される。そして、第３の選択板２１ｃにより、次段の盗難防止排紙トレイ１９Ｂに向って案内され、挿入される。
【００７７】
なお、図１１は、印刷済用紙２５を次段の盗難防止排紙トレイ１９Ｂより、さらに下方に印刷出力する場合を示している。この場合、ヒートローラ１８を通過した印刷済用紙２５は、案内機構２１の第１の選択板２１ａにより下向きに振り分けられ、その後、第２の選択板２１ｂ及び第３の選択板２１ｃにより、さらに下方に案内される。そして、印刷済の紙２５を次段の盗難防止排紙トレイ１９Ｂより、さらに下方に印刷出力する。
【００７８】
次に、ＭＦＰ１１の内部でジャムが発生した場合を図１２を用いて説明する。
【００７９】
図１２は、上段の盗難防止排紙トレイ１９Ａの入口部分（第２の選択板２１ｂ部分）と、次段の盗難防止排紙トレイ１９Ｂの入口部分（第３の選択板２１ｃ部分）とで、それぞれジャムが発生している状態を示している。これらのジャムは、各盗難防止排紙トレイ１９Ａ及び１９Ｂの入口部分に設けられた第２のジャムセンサー３２により検出される。このとき、ヒートローラ１８の出口部分にジャムが発生していないことを第１のジャムセンサー３１により確認していれば、部分的に印刷を続行することができる。すなわち、盗難防止排紙トレイ１９Ａ及び１９Ｂの入口部分でのジャムは、これら盗難防止排紙トレイ１９Ａ及び１９Ｂへの印刷出力を不可能にしているが、標準排紙トレイ２３への印刷出力を停止させるには至っていない。このため、ジャムが発生していながら、ジャムが発生していない標準排紙トレイ２３への印刷出力を続けることができる。
【００８０】
このように、盗難防止排紙トレイ１９Ａ，１９Ｂ部分でジャムが発生した場合は、前述したＩＤ番号をコントロールパネル３６から入力してロック解除を行わないと、ジャムの除去処理を行うことができない。これはジャムが発生する前に印刷されている印刷済の紙の盗難を防ぐためである。しかし、図１２のような場合では、通常排紙トレイ２３への印刷出力が可能であるから、盗難防止排紙トレイ１９Ａや盗難防止排紙トレイ１９Ｂでのジャムが排除されるまで、標準排紙トレイ２３への印刷出力を停止させておくことは非効率である。そこで、盗難防止排紙トレイへ１９Ａ，１９Ｂへの印刷出力中に発生したジャムでも、図１２のように、通常排紙トレイ２３への印刷出力に影響の無いジャムであれば、ジャムが排除されなくても印刷出力できるようにして、無駄な印刷休止を防止し、印刷効率の低下を防いでいる。
【００８１】
なお、ヒートローラ１８の出口部分にジャムが生じた場合は、盗難防止排紙トレイ１９Ａや１９Ｂを引き出す必要が無いので、前記ＩＤ番号を知らない使用者であってもジャムを解除できる。したがって、直ちにジャムを解除して、印刷（盗難防止排紙トレイ１９Ａや１９Ｂを使用した印刷を含む）を再開できる。
【００８２】
図１２では、盗難防止排紙トレイ１９Ａ，１９Ｂ部分でのジャム発生時に、標準排紙トレイ２３への印刷済用紙を出力することを説明したが、その逆で、標準排紙トレイ２３側でジャムが発生した時に、盗難防止排紙トレイ１９Ａ，１９Ｂ側への印刷出力が可能であれば印刷を実行させることもできる。また、盗難防止排紙トレイ１９Ａ，１９Ｂのいずれかにジャムが発生した場合、ジャムが発生していない方への印刷出力も可能である。
【図面の簡単な説明】
【００８３】
【図１】この発明の一実施の形態における画像形成装置とユーザ側機器との関係を概略示すシステム構成図である。
【図２】この発明による画像形成装置の一実施の形態における内部構成を示す構成図である。
【図３】この発明の一実施の形態における画像形成装置の紙蓄積部の平面図である。
【図４】この発明の一実施の形態における画像形成装置の紙蓄積部の側面図である。
【図５】この発明の一実施の形態における画像形成装置の紙蓄積部を拡大して示す平面図である。
【図６】この発明の一実施の形態における画像形成装置の紙蓄積部の底面部を拡大して示す正面図である。
【図７】この発明の一実施の形態における画像形成装置の制御部分の構成を示すブロック図である。
【図８】この発明の一実施の形態における画像形成装置の標準排紙トレイへの紙通路を説明する内部構成図である。
【図９】この発明の一実施の形態における画像形成装置の上段の紙蓄積部への紙通路を説明する内部構成図である。
【図１０】この発明の一実施の形態における画像形成装置の次段の紙蓄積部への紙通路を説明する内部構成図である。
【図１１】この発明の一実施の形態における画像形成装置の次段の紙蓄積部よりさらに下方への紙通路を説明する内部構成図である。
【図１２】この発明の一実施の形態における画像形成装置の、紙ジャム発生状況を説明する内部構成図である。
【図１３】この発明の一実施の形態における画像形成装置の、紙蓄積を要する一連の印刷動作を説明するフローチャートである。
【図１４】この発明の一実施の形態における画像形成装置の、紙蓄積を要する一連の印刷動作における、印刷途中での紙蓄積部取出し動作を説明するフローチャートである。
【図１５】この発明の一実施の形態における画像形成装置の、複数ジョブの並列印刷動作を説明するフローチャートである。
【符号の説明】
【００８４】
１１    画像形成装置
１５    筐体
１６    印刷部
１９    紙蓄積部
２１    案内機構
２７    固定機構
３４    制御部
【図１】
2008199582.tif 000003
【図２】
2008199582.tif 000004
【図３】
2008199582.tif 000005
【図４】
2008199582.tif 000006
【図５】
2008199582.tif 000007
【図６】
2008199582.tif 000008
【図７】
2008199582.tif 000009
【図８】
2008199582.tif 000010
【図９】
2008199582.tif 000011
【図１０】
2008199582.tif 000012
【図１１】
2008199582.tif 000013
【図１２】
2008199582.tif 000014
【図１３】
2008199582.tif 000015
【図１４】
2008199582.tif 000016
【図１５】
2008199582.tif 000017